(57)【要約】【課題】本発明は、簡便かつ軽量な構成で長尺物の吊り上げ姿勢を変更でき、かつ作業ミスの発生し難い吊り具の提供を目的とする。【解決手段】本発明は、建設機械に搭載される長尺物を吊り索により吊り上げるために用いられる吊り具であって、上記長尺物の長手方向に重心を挟んで配設される第１連結部及び第２連結部を備え、上記第１連結部が、上記吊り索の一端を上記長尺物に対して固定可能に構成され、上記第２連結部が、その先端側に上記吊り索の他の一端を固定可能なリンクと、上記長尺物に固定され、上記リンクをその基端側を中心として回動可能に保持する回転支持部と、上記リンクが倒伏した状態で、その先端側を上記長尺物に着脱可能に構成される固定部材とを有する。【選択図】図２
2020109037.tif 000002
【特許請求の範囲】
【請求項１】
建設機械に搭載される長尺物を吊り索により吊り上げるために用いられる吊り具であって、
上記長尺物の長手方向に重心を挟んで配設される第１連結部及び第２連結部を備え、
上記第１連結部が、上記吊り索の一端を上記長尺物に対して固定可能に構成され、
上記第２連結部が、
その先端側に上記吊り索の他の一端を固定可能なリンクと、
上記長尺物に固定され、上記リンクをその基端側を中心として回動可能に保持する回転支持部と、
上記リンクが倒伏した状態で、その先端側を上記長尺物に着脱可能に構成される固定部材と
を有する吊り具。
【請求項２】
上記第２連結部が、上記回転支持部と上記固定部材との間に立設される一対の板状のガイドを有し、
上記一対のガイドが、上記リンクが倒伏した状態で、上記リンクを両側部から挟み込むように当接する請求項１に記載の吊り具。
【請求項３】
上記固定部材が、上記回転支持部に対して側面視で上記長尺物の重心側に位置する請求項１又は請求項２に記載の吊り具。
【請求項４】
上記第２連結部が、上記長尺物の天面からの上記リンクの回動可能な角度を、上記固定部材側を基準として９０°以下に規制するストッパを有する請求項３に記載の吊り具。
【請求項５】
それぞれ側面視で重なるように上記長尺物の両側部に配設される一対の上記第１連結部及び一対の上記第２連結部を備え、
一対の上記第２連結部のリンクが、その回動面が上記長尺物の天面に垂直な方向から幅方向中心に向かって傾斜している請求項１から請求項４のいずれか１項に記載の吊り具。
【請求項６】
上記長尺物がガントリ又はマストである請求項１から請求項５のいずれか１項に記載の吊り具。
【請求項７】
建設機械に搭載される長尺物を吊り索により吊り上げる吊り具システムであって、
吊り上げの起点となる吊治具と、
請求項１から請求項６のいずれか１項に記載の吊り具と、
上記吊治具と、上記吊り具の第１連結部及び第２連結部それぞれとを連結する吊り索と
を備え、
上記長尺物を吊り上げた状態で、上記吊治具と、上記吊り具の第１連結部及び第２連結部それぞれとの間が等長である吊り具システム。
【請求項８】
請求項７に記載の吊り具システムを用い、
上記吊り索を上記吊り具に連結する工程と、
上記リンクを、その基端側を中心として回動可能とした状態又はその先端側を上記長尺物に固定した状態のいずれか一方の状態に設定する工程と、
上記設定工程後に、上記長尺物を吊り上げ移動する工程と、
上記移動工程後に、上記長尺物を地面に載置する工程と、
上記載置工程後に、上記リンクを、上記設定工程で設定した状態とは異なる状態に切り換える工程と、
上記切り換え工程後に、上記長尺物を再び吊り上げ移動する工程と
を備える吊り具システムの使用方法。
【発明の詳細な説明】
【技術分野】
【０００１】
本発明は、吊り具及び吊り具システム及び吊り具システムの使用方法に関する。
【背景技術】
【０００２】
例えば建設機械のガントリやマストといった長尺物は、法令等の理由により建設機械本体から取り外して輸送され、輸送後に建設機械に取り付けられる。このような長尺物の取り外しや取り付けを行う際には、荷が触れて作業員に衝突することを回避するため、姿勢が安定するよう重心位置を吊り上げて地切りさせる必要がある。
【０００３】
上記マストを輸送後に建設機械本体に取り付ける場合を例にとり具体的に説明する。まず、建設機械本体から切り離されトレーラにより輸送されたマストは、トレーラから積み下ろされる。通常トレーラの荷台の積荷面は水平であるため、マストが水平となるように地切りされる。積み下ろされたマストはいったん地面に置かれた後、建設機械本体に取り付けられる。マストは建設機械本体に傾斜して取り付けられるため、建設機械本体へ取り付ける際にはマストは傾斜した状態で地切りされる。
【０００４】
このようにマストはその吊り上げられる状況に応じて安定させるべき姿勢（傾斜角）が異なる。吊り上げ時の姿勢を変えるためには、例えば図１に示すように、マスト１００の天面に、長さ方向に位置の異なる２対の吊環１０１（第１吊環１０１ａ及び第２吊環１０１ｂ）を設け、吊り上げるワイヤをマストに連結するシャックルの位置を変更することで行える。具体的には、マストが水平となるように地切りする場合は第１吊環１０１ａにシャックルを連結し、マストが傾斜するように地切りする場合は第２吊環１０１ｂにシャックルを連結する。
【０００５】
この場合、マストの吊り上げ姿勢を変更するためには、シャックルの付け替え作業が発生する。大型の建設機械では、マストを吊り上げるためのシャックルは１０ｋｇ程度の重量があり、付け替え作業を行う作業者の負担は大きく、かつ作業時間及び作業空間を必要とするため、作業効率が低い。また、複数の取り付け場所があるため、付け替えを行う際に取り付けミスが発生し得る。
【０００６】
マストのような長尺物を吊り上げる際の姿勢を効率よく変更する方法として、吊り上げるワイヤの長さを可変とする引込装置を有する吊り具が提案されている（特開平１０−２５０８６号公報参照）。上記従来の吊り具では、長尺物を吊り上げる吊天秤が引込装置を有し、この引込装置によりワイヤを引き込んだり引き出したりすることで、長尺物を長手方向前後で吊るしているワイヤの長さを変えて、長尺物の傾斜を変化させる。
【０００７】
上記従来の吊り具では、シャックルの付け替え作業は不要とできるものの、吊天秤に引込装置を取り付ける必要があり、構造が複雑になるとともに重量が増加する。また、吊り上げる長尺物とその角度に応じてワイヤの長さを適宜選択する必要があるため、作業ミスの発生確率は必ずしも低減されない。
【先行技術文献】
【特許文献】
【０００８】
【特許文献１】特開平１０−２５０８６号公報
【発明の概要】
【発明が解決しようとする課題】
【０００９】
本発明は、上述のような事情に基づいてなされたものであり、簡便な構成で長尺物の吊り上げ姿勢を変更でき、かつ作業ミスの発生し難い吊り具及び吊り具システム並びにこの吊り具システムの使用方法の提供を目的とする。
【課題を解決するための手段】
【００１０】
上記課題を解決するためになされた発明は、建設機械に搭載される長尺物を吊り索により吊り上げるために用いられる吊り具であって、上記長尺物の長手方向に重心を挟んで配設される第１連結部及び第２連結部を備え、上記第１連結部が、上記吊り索の一端を上記長尺物に対して固定可能に構成され、上記第２連結部が、その先端側に上記吊り索の他の一端を固定可能なリンクと、上記長尺物に固定され、上記リンクをその基端側を中心として回動可能に保持する回転支持部と、上記リンクが倒伏した状態で、その先端側を上記長尺物に着脱可能に構成される固定部材とを有する。
【００１１】
当該吊り具は、第２連結部のリンクが基端側を中心として回動可能であるので、この回動可能なリンクが吊り索の一部として機能し、等価的に吊り索が長い状態とできる。一方、当該吊り具では、リンクが倒伏した状態で、その先端側を長尺物に固定できる。リンクを倒伏して固定した場合、当該吊り具では、リンクが吊り索の一部として機能せず、吊り索は実長のままとなる。つまり、当該吊り具では、リンクを回動可能とするか、固定するかを選択することで、等価的に吊り索を変化させて、長尺物の吊り上げ姿勢を変えることができる。また、当該吊り具では、吊り索はリンクの先端側に固定したまま長尺物の吊り上げ姿勢を変更できるので、付け替え作業は不要とできるうえ、作業者はリンクを回動可能とするか、固定するかの選択のみ行えばよく、作業が簡単で作業ミスの発生を抑止できる。さらに、当該吊り具は、吊り索の一端を長尺物に対して固定可能な第１連結部と、リンクを有する第２連結部とで構成できるので、構造が簡便かつ軽量である。
【００１２】
上記第２連結部が、上記第２連結部が、上記回転支持部と上記固定部材との間に立設される一対の板状のガイドを有し、上記一対のガイドが、上記リンクが倒伏した状態で、上記リンクを両側部から挟み込むように当接するとよい。このように第２連結部が上述の板状のガイドを有することで、リンクが倒伏する際にガイドに沿って移動する。このため、リンクが倒伏した状態で、その先端側を上記長尺物に固定し易い。
【００１３】
上記固定部材が、上記回転支持部に対して側面視で上記長尺物の重心側に位置するとよい。リンクを回動可能とした際に、リンクの先端側が重心方向に向かって安定する。上述のように固定部材を回転支持部に対して側面視で上記長尺物の重心側に位置させると、長尺物の天面からの上記リンクの回動角が９０°未満となる。従って、例えば長尺物を地面に置き、吊り索が緩むとリンクは自重で固定部材側、つまりリンクの先端側を長尺物に固定する位置に戻り易い。このため、リンクが倒伏した状態で、その先端側を上記長尺物に固定し易い。
【００１４】
上記第２連結部が、上記長尺物の天面からの上記リンクの回動可能な角度を、上記固定部材側を基準として９０°以下に規制するストッパを有するとよい。固定部材が、回転支持部に対して側面視で上記長尺物の重心側に位置する場合であっても、リンクを回動可能とした際、偶発的に長尺物の天面からの上記リンクの回動角が９０°を超えることがあり、その場合、リンクは自重では固定部材側に戻り難い。これに対し、第２連結部が上述のストッパを有することで、上記リンクの回動角が９０°を超えることが抑止され、より確実にリンクの先端側を長尺物に固定する位置に戻り易くすることができる。このため、リンクが倒伏した状態で、その先端側を上記長尺物にさらに固定し易くできる。
【００１５】
それぞれ側面視で重なるように上記長尺物の両側部に配設される一対の上記第１連結部及び一対の上記第２連結部を備え、一対の上記第２連結部のリンクが、その回動面が上記長尺物の天面に垂直な方向から幅方向中心に向かって傾斜しているとよい。一対の第１連結部及び一対の第２連結部をそれぞれ側面視で重なるように上記長尺物の両側部に配設することで、幅方向に広い長尺物であっても安定して吊り上げることができる。また、通常長尺物は吊治具を用いて１点で吊るされるため、リンクの回動面を長尺物の幅方向中心に向かって傾斜させることで、リンクと吊り索とを一直線状に位置させ易くなり、リンクをスムーズに回動させることができる。
【００１６】
上記長尺物がガントリ又はマストであるとよい。本発明の吊り具は、ガントリ又はマストに特に好適に用いることができる。なお、ガントリ及びマストは、移動式クレーンに用いられる長尺物である。
【００１７】
上記課題を解決するためになされた別の発明は、建設機械に搭載される長尺物を吊り索により吊り上げる吊り具システムであって、吊治具と、請求項１から請求項６のいずれか１項に記載の吊り具と、上記吊治具と、上記吊り具の第１連結部及び第２連結部それぞれとを連結する吊り索とを備え、上記長尺物を吊り上げた状態で、上記吊治具と、上記吊り具の第１連結部及び第２連結部それぞれとの間が等長である。
【００１８】
当該吊り具システムは、本発明の吊り具を用いるので、簡便かつ軽量な構成で長尺物の吊り上げ姿勢を変更できる。また、当該吊り具システムは、長尺物を吊り上げた状態で、吊治具と、吊り具の第１連結部及び第２連結部それぞれとの間が等長である。つまり、当該吊り具システムは、リンクの長さでのみ長尺物の吊り上げ姿勢の変更を制御できるように構成されているので、吊り索の長さの調整も含め、作業が簡単で作業ミスの発生を抑止できる。
【００１９】
上記課題を解決するためになされたさらに別の発明は、本発明の吊り具システムを用い、上記吊り索を上記吊り具に連結する工程と、上記リンクを、その基端側を中心として回動可能とした状態又はその先端側を上記長尺物に固定した状態のいずれか一方の状態に設定する工程と、上記設定工程後に、上記長尺物を吊り上げ移動する工程と、上記移動工程後に、上記長尺物を地面に載置する工程と、上記載置工程後に、上記リンクを、上記設定工程で設定した状態とは異なる状態に切り換える工程と、上記切り換え工程後に、上記長尺物を再び吊り上げ移動する工程とを備える吊り具システムの使用方法である。
【００２０】
当該吊り具システムの使用方法では、本発明の吊り具システムを用いるので作業が簡単で作業ミスの発生を抑止できる。
【発明の効果】
【００２１】
以上説明したように、本発明の吊り具及び吊り具システムは、簡便かつ軽量な構成で長尺物の吊り上げ姿勢を変更できる。従って、本発明の吊り具及び吊り具システムを用いた吊り具システムの使用方法を用いることで、作業ミスが発生し難い。
【図面の簡単な説明】
【００２２】
【図１】図１は、従来の吊り具を示す模式的側面図である。
【図２】図２は、本発明の一実施形態の吊り具を示す模式的側面図である。
【図３】図３は、図２の第２連結部を示す模式的斜視図であり、リンクが固定された状態を示す。
【図４】図４は、図２の第２連結部を示す模式的斜視図であり、リンクが回動可能な状態を示す。
【図５】図５は、本発明の一実施形態の吊り具システムを示す模式的側面図であり、トレーラからマストを積み下ろす際の状態を示す。
【図６】図６は、図５の吊り具システムを示す模式的側面図であり、建設機械本体へマストを搭載する際の状態を示す。
【図７】図３とは異なる第２連結部を示す模式的正面図である。
【発明を実施するための形態】
【００２３】
以下、本発明の一実施形態に係る吊り具、吊り具システム及び吊り具システムの使用方法について適宜図面を参照しつつ説明する。
【００２４】
［吊り具］
図２乃至図４に示す吊り具１は、建設機械に搭載される長尺物であるマスト１０を吊り索により吊り上げるために用いられる吊り具である。当該吊り具１は、マスト１０に特に好適に用いることができる。
【００２５】
当該吊り具１は、マスト１０の天面側に、その長手方向に重心を挟んで配設される一対の第１連結部２０及び一対の第２連結部３０を備える。一対の上記第１連結部２０及び一対の第２連結部３０は、それぞれ側面視で重なるようにマスト１０の両側部に配設される。このように一対の第１連結部２０及び一対の第２連結部３０をそれぞれ側面視で重なるようにマスト１０の両側部に配設することで、幅方向に広いマスト１０を安定して吊り上げることができる。なお、図２乃至図４では片側の第１連結部２０及び第２連結部３０のみを示している。
【００２６】
第１連結部２０と第２連結部３０とは、マスト１０の長手方向に離間して配設される。第１連結部２０と第２連結部３０との離間距離は、短過ぎると吊り上げた際にマスト１０が搖動し易くなる。このため、上記離間距離は、マスト１０を安定して吊り上げられるように決定するとよい。
【００２７】
第１連結部２０と第２連結部３０とは、いずれが前方に配設されてもよい。第１連結部２０と第２連結部３０とのいずれを前方に配設するかは、リンク３１を回動可能とした場合（以下、「回動可能状態」ともいう）と、リンク３１を倒伏させ固定した場合（以下、「固定状態」ともいう）とに割り当てる長尺物の傾斜角度の設定により適宜決定される。具体的には、第２連結部３０を配設した側がリンク３１を固定状態から回動可能状態とした場合に下がる。図２では、第２連結部３０が前方にある場合を示している。以下、この図２の場合をもとに説明するが、第２連結部３０が後方にあっても同様である。
【００２８】
＜第１連結部＞
第１連結部２０は、吊り索の一端を上記長尺物に対して固定可能に構成される。具体的には、第１連結部２０は、例えば公知の吊環、つまりマスト１０の天面側に突出し、マスト１０の幅方向に貫通する貫通孔を有する構成とすることができる。
【００２９】
＜第２連結部＞
第２連結部３０は、リンク３１と、回転支持部３２と、固定部材３３と、一対のガイド３４と、ストッパ３５とを有する。
【００３０】
（リンク）
リンク３１は、棒状又は板状で一定の長さを有する部材である。リンク３１の形状としては、板状が好ましい。リンク３１を板状とすることで、後述する一対のガイド３４によりガイドされ易くできる。また、リンク３１の長さは、リンク３１を回動可能状態とした際に、マスト１０が所望の傾斜（水平を含む）となるように決定される。
【００３１】
リンク３１は、その先端側に吊り索の他の一端を固定可能である。具体的には、リンク３１は、その先端部にマスト１０の幅方向に貫通する第１貫通孔３１ａを有する構成とすることができる。
【００３２】
また、リンク３１の基端側は、後述する回転支持部３２に保持されている。
【００３３】
（回転支持部）
回転支持部３２は、マスト１０に固定され、リンク３１をその基端側を中心として回動可能に保持する。
【００３４】
回転支持部３２の構成は、特に限定されないが、例えば図３及び図４に示すように、マスト１０の天面から突出し、リンク３１の基端部を挟み込む一対の板状体３２ａと、この一対の板状体３２ａ及びリンク３１の基端部を貫通する軸部３２ｂとを有する構成とすることができる。
【００３５】
（固定部材）
固定部材３３は、リンク３１が倒伏した状態で、その先端側をマスト１０に着脱可能に構成される。
【００３６】
固定部材３３の構成は、特に限定されないが、例えば図３及び図４に示すように、マスト１０の天面から突出し、リンク３１の先端部を挟み込む一対の板状体３３ａと、この一対の板状体３３ａを貫通する貫通孔３３ｂと、リンク３１に設けられ、リンク３１を倒伏した状態で板状体３３ａの貫通孔３３ｂと側面視で重なる第２貫通孔３１ｂと、リンク３１を倒伏した状態で板状体３３ａの貫通孔３３ｂ及びリンク３１の第２貫通孔３１ｂを貫通し固定する固定ピン３３ｃとを有する構成とできる。このように構成することで、固定ピン３３ｃの挿抜によりリンク３１の先端側をマスト１０に着脱可能とできる。
【００３７】
固定部材３３は、回転支持部３２に対して側面視でマスト１０の重心側に位置する。リンク３１を回動可能とした際に、リンク３１の先端側が重心方向に向かって安定する。上述のように固定部材３３を回転支持部３２に対して側面視でマスト１０の重心側に位置させると、マスト１０の天面からのリンク３１の回動角（図４のθ）が９０°未満となる。従って、例えばマスト１０を地面に置き、吊り索が緩むとリンク３１は自重で固定部材３３側、つまりリンク３１の先端側をマスト１０に固定する位置に戻り易い。このため、リンク３１が倒伏した状態で、その先端側をマスト１０に固定し易い。
【００３８】
（ガイド）
一対のガイド３４は、板状であり、回転支持部３２と固定部材３３との間に立設される。一対のガイド３４は、リンク３１が倒伏した状態で、リンク３１を両側部から挟み込むように当接する。このように第２連結部３０が上述の板状のガイド３４を有することで、リンク３１が倒伏する際にガイド３４に沿って移動する。このため、リンク３１が倒伏した状態で、その先端側をマスト１０に固定し易い。
【００３９】
一対のガイド３４の構成は、特に限定されないが、例えば図３及び図４に示すように、回転支持部３２の一対の板状体３２ａ及び固定部材３３の一対の板状体３３ａのそれぞれにリンク３１を両側部から挟み込むように架け渡される板状の部材とを有する構成とできる。このように構成することで、ガイド３４を回転支持部３２の板状体３２ａ及び固定部材３３の板状体３３ａと一体成型できるので、第２連結部３０の強度を高めることができる。
【００４０】
（ストッパ）
ストッパ３５は、マスト１０の天面からのリンク３１の回動可能な角度θを、固定部材３３側を基準として９０°以下に規制する。固定部材３３が、回転支持部３２に対して側面視でマスト１０の重心側に位置する場合であっても、リンク３１を回動可能とした際、偶発的にマスト１０の天面からのリンク３１の回動角が９０°を超えることがあり、その場合、リンク３１は自重では固定部材３３側に戻り難い。これに対し、第２連結部３０が上述のストッパ３５を有することで、リンク３１の回動角θが９０°を超えることが抑止され、より確実にリンク３１の先端側をマスト１０に固定する位置に戻り易くすることができる。このため、リンク３１が倒伏した状態で、その先端側をマスト１０にさらに固定し易くできる。
【００４１】
ストッパ３５の構成は、特に限定されないが、例えば図３及び図４に示すように、リンク３１の基端側の上部に突出して配設されるリンク側突起３５ａと、回動軸３２の一対の板状体３２ａの間にマスト１０の天面から突出して配設され、リンク側突起３５ａと当接することでリンク３１の回動を規制する回転支持部側突起３５ｂとを有する構成とすることができる。
【００４２】
なお、例えば図３及び図４の構成においてリンク３１の回動が規制される回動角θの上限は、９０°である。一方、リンク３１の回動が規制される回動角θの下限は、特に限定されないが、少なくともリンク３１を回動可能状態とした場合にマスト１０を所望の傾斜とできる角度とされる。リンク３１の回動が規制される回動角θが上記下限未満であると、リンク３１が回動してマスト１０が所望の傾斜となる前にストッパ３５により回動が規制されるおそれがある。
【００４３】
＜利点＞
当該吊り具１は、第２連結部３０のリンク３１が基端側を中心として回動可能であるので、この回動可能なリンク３１が吊り索の一部として機能し、等価的に吊り索が長い状態とできる。一方、当該吊り具１では、リンク３１が倒伏した状態で、その先端側をマスト１０に固定できる。リンク３１を倒伏して固定した場合、当該吊り具１では、リンク３１が吊り索の一部として機能せず、吊り索は実長のままとなる。つまり、当該吊り具１では、リンク３１を回動可能とするか、固定するかを選択することで、等価的に吊り索を変化させてマスト１０の吊り上げ姿勢を変えることができる。また、当該吊り具１では、吊り索はリンク３１の先端側に固定したままマスト１０の吊り上げ姿勢を変更できるので、付け替え作業は不要とできるうえ、作業者はリンク３１を回動可能とするか、固定するかの選択のみ行えばよく、作業が簡単で作業ミスの発生を抑止できる。さらに、当該吊り具１は、吊り索の一端をマスト１０に対して固定可能な第１連結部２０と、リンク３１を有する第２連結部３０とで構成できるので、構造が簡便かつ軽量である。
【００４４】
［吊り具システム］
図５及び図６に示す吊り具システム２は、建設機械に搭載されるマスト１０を吊り索４により吊り上げる吊り具システムである。当該吊り具システム２は、吊治具３と、吊り具１と、吊り索４とを備える。
【００４５】
（吊治具）
吊治具３は、重量物をバランスよく吊るための装置で、吊り上げの起点となる。つまり、当該吊り具システム２は、吊治具３を持ち上げることにより重量物をバランスよく吊りあげることができる。当該吊り具システム２に用いられる吊治具３は特に限定されず、例えば長尺物を吊り上げるクレーンのフックそのものであってもよく、公知の吊天秤等を用いてもよい。なお、吊治具３として吊天秤を用いる場合、この吊天秤は例えばクレーンのフックに吊り下げられて用いられる。
【００４６】
（吊り具）
吊り具１は、図２乃至図４に示す本発明の一実施形態に係る吊り具であるので、対応する部分には、同一符号を付し、詳細説明を省略する。
【００４７】
（吊り索）
吊り索４は、吊治具３と吊り具１の第１連結部２０及び第２連結部３０それぞれとを連結する。なお、当該吊り具１は、一対の上記第１連結部２０及び一対の第２連結部３０が、それぞれ側面視で重なるようにマスト１０の両側部に配設されている。吊り索４は、マスト１０の幅方向で同じ側の第１連結部２０及び第２連結部３０に対してそれぞれ設けられる。
【００４８】
それぞれの吊り索４は、吊治具３と第１連結部２０とを連結する第１吊り索と、吊治具３と第２連結部３０とを連結する第２吊り索とに分けて構成されてもよいし、吊治具３を介して第１連結部２０と第２連結部３０とを連結する一体として構成されてもよい。
【００４９】
吊り索４の構成としては、特に限定されないが、例えば図５及び図６に示すようにワイヤ４ａと、第１連結部２０及び第２連結部３０に連結される端部にシャックル４ｂとを有する構成とすることができる。
【００５０】
当該吊り具システム２において、マスト１０を吊り上げた状態で、吊治具３と、吊り具１の第１連結部２０及び第２連結部３０それぞれとの間は等長である。つまり、吊治具３と第１連結部２０とを連結する部分の吊り索４の長さと、吊治具３と第２連結部３０（リンク３１の先端部にある第１貫通孔３１ａ）とを連結する部分の吊り索４の長さとが等しくなるように構成されている。
【００５１】
また、当該吊り具システム２では、第２連結部３０のリンク３１を回動可能状態とした際にマスト１０が水平に吊り上げられ、第２連結部３０のリンク３１を固定状態とした際にマスト１０が所望の角度で前方が上がった状態で吊り上げられるよう構成されている。
【００５２】
上述のような構成は、第１連結部２０及び第２連結部３０の配設位置及びリンク３１の長さを調整することで実現できる。具体的には、以下の手順で調整することができる。まず、リンク３１が固定状態である場合に、マスト１０が所望の角度で前方が上がった状態で吊り上げられるように、第１連結部２０及び第２連結部３０の配設位置を決定する。次に、リンク３１が回動可能状態となった際に、マスト１０が水平となるように、リンク３１の長さを決定する。実際には、第１連結部２０及び第２連結部３０の配設位置及びリンク３１の長さは、吊治具３での吊り上げ位置によっても変動し得るため、この点も加味したシミュレーション等を行って決定するとよい。
【００５３】
＜利点＞
当該吊り具システム２は、本発明の吊り具１を用いるので、簡便かつ軽量な構成でマスト１０の吊り上げ姿勢を変更できる。また、当該吊り具システム２は、マスト１０を吊り上げた状態で、吊治具３と、吊り具１の第１連結部２０及び第２連結部３０それぞれとの間が等長である。つまり、当該吊り具システム２は、リンク３１の長さでのみマスト１０の吊り上げ姿勢の変更を制御できるように構成されているので、吊り索４の長さの調整も含め、作業が簡単で作業ミスの発生を抑止できる。
【００５４】
［吊り具システムの使用方法］
本発明の一実施形態に係る吊り具システムの使用方法では、図５及び図６に示す本発明の吊り具システム２を用いる。当該吊り具システムの使用方法は、吊り索４を吊り具１に連結する工程（吊り索連結工程）と、リンク３１を、その基端側を中心として回動可能とした状態又はその先端側を長尺物に固定した状態のいずれか一方の状態に設定する工程（設定工程）と、上記設定工程後に、上記長尺物を吊り上げ移動する工程（移動工程）と、上記移動工程後に、上記長尺物を地面に載置する工程（載置工程）と、上記載置工程後に、リンク３１を、上記設定工程で設定した状態とは異なる状態に切り換える工程（切り換え工程）と、上記切り換え工程後に、上記長尺物を再び吊り上げ移動する工程（再移動工程）とを備える。
【００５５】
以下、当該吊り具システム２の使用方法について、トレーラに積まれたマスト１０を輸送後に建設機械本体に取り付ける場合を例にとり詳説する。
【００５６】
（吊り索連結工程）
吊り索連結工程では、図５に示すように、吊り索４の一端を当該吊り具１の第１連結部２０に固定し、吊り索４の他の一端を第２連結部３０のリンク３１の先端側に固定する。この作業はマスト１０がトレーラに積まれた状態で行われる。
【００５７】
（設定工程）
設定工程では、図５に示すように、リンク３１を固定部材３３には固定せず、回動可能状態とする。つまり、リンク３１を、その基端側を中心として回動可能とした状態に設定する。なお、当該吊り具システム２では、上述のようにリンク３１を回動可能状態とした際にマスト１０が水平に吊り上げられるように設計されている。
【００５８】
（移動工程）
移動工程では、マスト１０を輸送したトレーラからマスト１０を吊治具３により吊り上げる。リンク３１は回動可能状態であるので、マスト１０は水平に保たれた状態で吊り上げられる。なお、吊り上られた際のリンク３１の回動角θは９０°未満である。
【００５９】
（載置工程）
載置工程では、吊り上げたマスト１０は、地面に置かれる。マスト１０を地面に置くと、吊り索４が弛み、リンク３１は自重により回動し、その先端側が一対のガイド３４に沿って固定部材３３側に移動する。なお、本発明において、「地面」には、地面に準ずる場所、例えば地面に設置された板木や架台の上等も含む。
【００６０】
（切り換え工程）
切り換え工程では、固定部材３３側に移動したリンク３１の先端部を固定部材３３に固定する。すなわち、リンク３１の設定を「その基端側を中心として回動可能とした状態」又は「その先端側をマスト１０に固定した状態」のうち、上記設定工程で設定した状態とは異なる状態である「その先端側をマスト１０に固定した状態」に切り換える。
【００６１】
具体的には、リンク３１を倒伏した状態で固定部材３３の板状体３３ａの貫通孔３３ｂとリンク３１の第２貫通孔３１ｂとを側面視で重ねたうえで、固定ピン３３ｃを貫通させて留める。これにより、リンク３１は固定状態となる。
【００６２】
（再移動工程）
再移動工程では、地面に置かれたマスト１０を吊治具３により吊り上げ、建設機械本体に取り付ける。このとき、リンク３１は固定状態であるので、マスト１０は、所望の角度で前方が上がった状態で吊り上げられる。
【００６３】
なお、マスト１０の建設機械本体への取り付けが完了すれば、吊り索４は、当該吊り具１の第１連結部２０及び第２連結部３０から取り外される。
【００６４】
以上、マスト１０を輸送後に建設機械本体に取り付ける場合を例にとり説明したが、マスト１０を建設機械本体から取り外し、トレーラに積み込む場合は、上述と逆の手順で行うことができる。
【００６５】
つまり、図６に示すように、吊り索４を吊り具１に連結した（吊り索連結工程）後（所望の角度で前方が上がった状態となるようリンク３１を固定状態として（設定工程）、建設機械からマスト１０を取り外し（移動工程）、地面に置く（載置工程）。そして、固定部材３３の固定ピン３３ｃを取り外すことでリンク３１を回動可能状態とした（切り換え工程）後、吊り上げる（再移動工程）。このとき、リンク３１は回動可能状態であるので、マスト１０は水平に吊り上げられる。このようにマスト１０を水平に吊り上げた状態で、トレーラに積み込みを行う。
【００６６】
＜利点＞
当該吊り具システムの使用方法では、本発明の吊り具システム２を用いるので作業が簡単で作業ミスの発生を抑止できる。
【００６７】
［その他の実施形態］
上記実施形態は、本発明の構成を限定するものではない。従って、上記実施形態は、本明細書の記載及び技術常識に基づいて上記実施形態各部の構成要素の省略、置換又は追加が可能であり、それらは全て本発明の範囲に属するものと解釈されるべきである。
【００６８】
上記実施形態では、本発明の吊り具及び吊り具システムをマストに用いる場合について説明したが、本発明の吊り具及び吊り具システムの対象はマストに限定されず、建設機械における他の長尺物、例えばガントリにも適用可能である。
【００６９】
上記実施形態では、吊り具の第２連結部が一対のガイドを有する場合を説明したが、一対のガイドは必須の構成要件ではなく、片側のみ、あるいはガイドを有さない吊り具も本発明の意図するところである。
【００７０】
上記実施形態では、吊り具の第２連結部のガイドが垂直方向に回動する場合を例に説明したが、図７に示す吊り具５のように、一対の第２連結部３０のリンク３１が、その回動面がマスト１０の天面に垂直な方向から幅方向中心に向かって傾斜するとよい。通常マスト１０は吊治具を用いて１点で吊るされるため、リンク３１の回動面をマスト１０の幅方向中心に向かって傾斜させることで、リンク３１と吊り索とを一直線状に位置させ易くなり、リンク３１をスムーズに回動させることができる。また、リンク３１と吊り索とを一直線状に位置させることで、リンク３１に加わる力がリンク３１の長手方向の力のみとなるため、リンク３１に曲げ等の力が加わらない。従って、当該吊り具５の設計を容易化できる。また、リンク３１に必要とされる強度が下がるので、リンク３１の厚さを薄くできる。従って、当該吊り具５をコンパクトで軽量化することができる。なお、図７において、図２乃至図４と同等の部分には同一符号を付した。
【００７１】
上記実施形態では、吊り具の第２連結部において、固定部材が、リンクの回転支持部に対して側面視でマストの重心側に位置する場合について説明したが、固定部材をマストの重心と反対側に位置させることもできる。この場合においては、リンクと吊り索とを一直線状となる回動角は９０°を超える。このため、マストの天面からのリンクの回動可能な角度を、固定部材側を基準として９０°以下に規制するストッパは設けない。
【００７２】
上記実施形態では、吊り具がそれぞれ側面視で重なるようにマストの両側部に配設される一対の第１連結部及び一対の第２連結部を備える場合を説明したが、吊り具の第１連結部及び第２連結部の構成はこれに限定されない。例えば長尺物（マスト）の幅が狭い場合であれば、第１連結部及び第２連結部は、長尺物の幅方向中央に１つずつ設ける構成とすることもできる。
【００７３】
上記実施形態では、吊り具の第１連結部及び第２連結部がマストの天面側に配設される場合を説明したが、上記第１連結部及び第２連結部は他の場所、例えば長尺物（マスト）の幅方向外側や下面に設けることも可能である。また、長尺物がビーム等で組まれている場合、第１連結部及び第２連結部は、幅方向で最も外側のビームの内面に設けることもできる。なお、取り付け易さ、作動させ易さ等の観点から、第１連結部及び第２連結部は、天面側に設けられることが好ましく、特に第２連結部を天面側に設けることが好ましい。また、例えばガントリのように天面が薄い長尺物にあっては、強度の観点から第１連結部及び第２連結部は、側面に設けることが好ましい。
【００７４】
上記実施形態では、吊り具システムにおいて、マストを吊り上げた状態で、吊治具と、吊り具の第１連結部及び第２連結部それぞれとの間が等長である場合を説明したが、吊治具と、吊り具の第１連結部及び第２連結部それぞれとの間が等長であることは必須の構成要件ではなく、吊治具と、吊り具の第１連結部及び第２連結部それぞれとの間が等長でない場合においても本発明の吊り具を用いることができる。この場合、釣り上げ時の角度は、吊り具の第１連結部及び第２連結部の配設位置及びリンクの長さに加え、吊治具と、吊り具の第１連結部及び第２連結部それぞれとの間の距離により調整される。
【００７５】
上記実施形態では、吊り具システムにおいて、吊り具の第２連結部のリンクを回動可能状態とした際にマストが水平に吊り上げられ、第２連結部のリンクを固定状態とした際にマストが所望の角度で前方が上がった状態で吊り上げられるように構成される場合を説明したが、各状態での角度は上述のように限定されるものではなく、逆に構成することも可能である。このとき、吊り具システムの使用方法にあっては、トレーラに積まれたマストを輸送後に建設機械本体に取り付ける場合に、設定工程でリンクの先端側をマストに固定した状態に設定し、マストを建設機械本体から取り外し、トレーラに積み込む場合に、設定工程でリンクの基端側を中心として回動可能とした状態に設定する。
【産業上の利用可能性】
【００７６】
以上説明したように、本発明の吊り具及び吊り具システムは、簡便かつ軽量な構成で長尺物の吊り上げ姿勢を変更できる。従って、本発明の吊り具及び吊り具システムを用いた吊り具システムの使用方法を用いることで、作業ミスが発生し難い。
【符号の説明】
【００７７】
１、５  吊り具
２  吊り具システム
３  吊治具
４  吊り索
４ａ  ワイヤ
４ｂ  シャックル
１０  マスト
２０  第１連結部
３０  第２連結部
３１  リンク
３１ａ  第１貫通孔
３１ｂ  第２貫通孔
３２  回転支持部
３２ａ  板状体
３２ｂ  軸部
３３  固定部材
３３ａ  板状体
３３ｂ  貫通孔
３３ｃ  固定ピン
３４  ガイド
３５  ストッパ
３５ａ  リンク側突起
３５ｂ  回転支持部側突起
１００  マスト
１０１  吊環
１０１ａ  第１吊環
１０１ｂ  第２吊環
【図１】
2020109037.tif 000003
【図２】
2020109037.tif 000004
【図３】
2020109037.tif 000005
【図４】
2020109037.tif 000006
【図５】
2020109037.tif 000007
【図６】
2020109037.tif 000008
【図７】
2020109037.tif 000009